(57)【要約】【課題】設置の費用や工数を抑えることができる栽培ベンチを提供する。【解決手段】植物を栽培する栽培ベンチ１であって、上方に開口し内部に培土が収容される栽培容器２と、栽培容器２を下方から支持し、かつ栽培容器２の長手方向に延びる通風路４が一体に形成されている支持脚３と、を備える。【選択図】図１
2019154356.tif 000002
【特許請求の範囲】
【請求項１】
植物を栽培する栽培ベンチであって、
上方に開口し内部に培土が収容される栽培容器と、
前記栽培容器を下方から支持し、かつ前記栽培容器の長手方向に延びる通風路が一体に形成されている支持脚と、を備える、栽培ベンチ。
【請求項２】
前記栽培容器は、前記通風路の上方に配置され、
前記通風路から前記栽培容器の開口に向かう通気管が前記栽培容器の周囲に設けられている、請求項１に記載の栽培ベンチ。
【請求項３】
前記通気管の排出口は、前記栽培容器の開口の中央に向いている、請求項２に記載の栽培ベンチ。
【発明の詳細な説明】
【技術分野】
【０００１】
本発明は、植物を栽培するための栽培ベンチに関する。
【背景技術】
【０００２】
イチゴの温室内栽培において、ハウス全体の温度管理を行っても温度斑が生じ、イチゴ苗の生育に支障をきたすことがある。そのため、苗の周辺部を局所的に冷却又は加温することで、イチゴ苗の生育を促すことがある。下記特許文献１には、架台上に栽培容器を設け、栽培容器のイチゴの苗のクラウン周辺に通気管を配管し、通気管に設けた孔を介して局所的な冷却又は加温を行う装置が記載されている。
【先行技術文献】
【特許文献】
【０００３】
【特許文献１】特開２０１０−２６８７８７号公報
【発明の概要】
【発明が解決しようとする課題】
【０００４】
しかしながら、特許文献１の装置では、栽培容器を載置するための架台、局所的に温度調節を行うための通気管を設ける必要があり、設置のための多くの費用や工数が必要であった。
【０００５】
そこで、本発明は上記課題に鑑み、設置の費用や工数を抑えることができる栽培ベンチを提供することを目的とする。
【課題を解決するための手段】
【０００６】
本発明の栽培ベンチは、植物を栽培する栽培ベンチであって、
上方に開口し内部に培土が収容される栽培容器と、
前記栽培容器を下方から支持し、かつ前記栽培容器の長手方向に延びる通風路が一体に形成されている支持脚と、を備えるものである。
【０００７】
本発明において、前記栽培容器は、前記通風路の上方に配置され、
前記通風路から前記栽培容器の開口に向かう通気管が前記栽培容器の周囲に設けられているものでもよい。
【０００８】
本発明において、前記通気管の排出口は、前記栽培容器の開口の中央に向いているものでもよい。
【０００９】
本発明によれば、通風路と一体の支持脚が栽培容器を支持するため、架台や通気管をそれぞれ設ける必要がなく、栽培ベンチの設置の費用や工数を抑えることができる。
【図面の簡単な説明】
【００１０】
【図１】本実施形態に係る栽培ベンチを示す斜視図である。
【図２】栽培容器を示す六面図である。
【図３】図２に示す栽培容器のＡ領域拡大図である。
【図４】仕切板を示す六面図である。
【図５】支持脚を示す六面図である。
【図６】図５に示す支持脚のＢ領域拡大図である。
【図７】栽培ベンチの使用状態を示す図である。
【図８】栽培ベンチを用いたハウス内のレイアウト例を示す図である。
【発明を実施するための形態】
【００１１】
以下に、本発明の実施形態について図面を参照しながら説明する。
【００１２】
図１は、栽培ベンチ１を示している。栽培ベンチ１は、植物を栽培するためのものであり、栽培容器２と、栽培容器２を下方から支持する支持脚３とを備えている。本実施形態では、イチゴを栽培する栽培ベンチ１を示しているが、植物の種類は特に限定されない。
【００１３】
栽培容器２は、上方に開口し内部に培土が収容される。栽培容器２は、平面視で一方向に長い長方形状をしており、長方形の長辺方向を長手方向Ｄ１、長方形の短辺方向を幅方向Ｄ２、長手方向Ｄ１及び幅方向Ｄ２に直交する方向を上下方向Ｄ３と称する。
【００１４】
栽培容器２の開口は、栽培容器２の長手方向Ｄ１に延びている。栽培容器２は、長手方向Ｄ１に直交する断面形状が略Ｕ字状に形成されている。栽培容器２の内表面の底部には長手方向Ｄ１に延びる凹部２１が形成されており、この凹部２１には排水用の配管が設置される。
【００１５】
栽培容器２の外表面には、幅方向Ｄ２及び上下方向Ｄ３に連続して延びる第１通気溝２２が形成されている。第１通気溝２２は、栽培容器２の上端２ａにて開口している。第１通気溝２２は、長手方向Ｄ１に沿って複数形成されている。
【００１６】
また、栽培容器２の外表面には、上下方向Ｄ３に延びる位置決め溝２３が形成されている。位置決め溝２３は、栽培容器２の上端２ａにて開口している。位置決め溝２３は、隣り合う第１通気溝２２同士の間に形成されている。ただし、位置決め溝２３は、必ずしも第１通気溝２２同士の間に形成される必要はなく、例えば、栽培容器２の長手方向Ｄ１の両端のみに設けてもよく、また、両端と中央に設けてもよい。位置決め溝２３の個数と配置は適宜設計可能である。
【００１７】
図３は、図２に示す栽培容器２のＡ領域拡大図である。栽培容器２の上端２ａには、幅方向Ｄ２の内側（図３の下方向）に傾斜する第１傾斜面２４が形成されている。栽培容器２の上端面２５は、幅方向Ｄ２に平行な平坦面となっている。
【００１８】
栽培容器２の長手方向Ｄ１の両端部２ｂ，２ｃには、それぞれ係合凸部２６と係合凹部２７が形成されている。係合凸部２６は、栽培容器２の外表面に幅方向Ｄ２及び上下方向Ｄ３に連続して形成されている。一方、係合凹部２７は、栽培容器２の内表面に幅方向Ｄ２及び上下方向Ｄ３に連続して形成されている。複数の栽培容器２を長手方向Ｄ１に接続する場合、一方の栽培容器２の係合凸部２６が他方の栽培容器２の係合凹部２７と係合する。
【００１９】
また、栽培容器２の端部２ｂの内表面には、仕切板２０の外周が係合される係合溝２８が形成されている。仕切板２０を係合溝２８に嵌めることで、栽培容器２の端部２ｂが閉塞される。また、栽培容器２の端部２ｃには、上記の係合凹部２７が形成されており、仕切板２０は、係合凹部２７に嵌めることができるように構成されている。そのため、仕切板２０によって栽培容器２の端部２ｃを閉塞することもできる。
【００２０】
支持脚３は、第１脚部材３ａと第２脚部材３ｂとで構成されている。第１脚部材３ａと第２脚部材３ｂは、幅方向Ｄ２に対称の形状をしているため、ここでは第１脚部材３ａについてのみ説明する。
【００２１】
第１脚部材３ａは、上下方向Ｄ３に立設される脚本体部３１を備える。脚本体部３１は、略矩形板状である。脚本体部３１の下端３１ａは、設置面に設置した際に安定するように、板厚が大きくなっている。また、脚本体部３１の上端３１ｂには、幅方向Ｄ２の外側に向かって膨む膨出部が形成されている。膨出部は、脚本体部３１の上端３１ｂから垂れ下がったイチゴが脚本体部３１の外側面３１ｃに接触するのを防止する。
【００２２】
脚本体部３１の内側面３１ｄには、幅方向Ｄ２に突出する第１突片部３２及び第２突片部３３が形成されている。第１突片部３２は、第１脚部材３ａの長手方向Ｄ１に沿って延びている。第１脚部材３ａと第２脚部材３ｂが組み合わされた状態で、第１脚部材３ａの第１突片部３２と第２脚部材３ｂの第１突片部３２は、突端部同士が接触する。突端部同士は、単に突き合わせるだけでなく、例えば、対向する突端部にそれぞれ設けた溝と突部で係合させたり、対向する突端部にそれぞれ設けた半球の凹部と半球の凸部で係合させたりしてもよく、適宜設計可能である。
【００２３】
第２突片部３３は、第１突片部３２よりも上方に設けられている。第２突片部３３は、第１脚部材３ａの長手方向Ｄ１に沿って延びている。第２突片部３３の脚本体部３１の内側面３１ｄからの突出量は、第１突片部３２の脚本体部３１の内側面３１ｄからの突出量よりも小さい。そのため、第１脚部材３ａと第２脚部材３ｂが組み合わされた状態で、第１脚部材３ａの第２突片部３３と第２脚部材３ｂの第２突片部３３は、突端部同士が非接触となり、両者の間には隙間が形成される。
【００２４】
第１脚部材３ａと第２脚部材３ｂが組み合わされた状態で、第１突片部３２と第２突片部３３で囲まれた空間は、長手方向Ｄ１に延びる通風路４を構成する。通風路４の上部は、栽培容器２の底面で構成される。通風路４には、冷風又は温風が流される。
【００２５】
栽培容器２は、第１脚部材３ａの第２突片部３３と第２脚部材３ｂの第２突片部３３により下方から支持される。また、栽培容器２は、第１脚部材３ａの内側面３１ｄのうち第２突片部３３よりも上方の上部内側面３１ｅと、第２脚部材３ｂの内側面３１ｄのうち第２突片部３３よりも上方の上部内側面３１ｅとによって幅方向Ｄ２の両側から支持される。
【００２６】
第１脚部材３ａには、幅方向Ｄ２及び上下方向Ｄ３に連続して延びる第２通気溝３４が形成されている。第２通気溝３４は、一部が第２突片部３３の上面に形成され、残部が第２突片部３３よりも上方の脚本体部３１の上部内側面３１ｅに形成されている。第２通気溝３４は、長手方向Ｄ１に沿って複数形成されている。栽培容器２と支持脚３（第１脚部材３ａと第２脚部材３ｂ）が組み合わされた状態で、第２通気溝３４は、栽培容器２の第１通気溝２２と対向する位置に形成されており、第１通気溝２２と第２通気溝３４は、通風路４から栽培容器２の開口に向かう通気管５（図７を参照）を構成する。通気管５は、通風路４及び栽培容器２の開口に連通している。
【００２７】
また、第２突片部３３よりも上方の脚本体部３１の上部内側面３１ｅには、上下方向Ｄ３に延びる位置決め突起３５が形成されている。位置決め突起３５は、隣り合う第２通気溝３４同士の間に形成されている。栽培容器２と支持脚３（第１脚部材３ａと第２脚部材３ｂ）が組み合わされた状態で、位置決め突起３５は、栽培容器２の位置決め溝２３と対向する位置に形成されている。また、位置決め突起３５の長手方向Ｄ１の幅は、栽培容器２の位置決め溝２３の長手方向Ｄ１の幅よりもわずかに狭くなっており、位置決め突起３５は、位置決め溝２３に沿って上下方向Ｄ３にスライド可能である。
【００２８】
図６は、図５に示す第１脚部材３ａのＢ領域拡大図である。脚本体部３１の上端３１ｂには、幅方向Ｄ２の内側（図６の左方向）に傾斜する第２傾斜面３６が形成されている。第２傾斜面３６は、栽培容器２の第１傾斜面２４と対向して配置されており、第１傾斜面２４とともに通気管５の排出口５ａを構成する。第１傾斜面２４及び第２傾斜面３６が幅方向Ｄ２の内側に傾斜することにより、排出口５ａから排出された空気は栽培容器２の開口の幅方向Ｄ２の中央部に送られる。
【００２９】
第１脚部材３ａの長手方向Ｄ１の両端面には、それぞれ嵌合凸部３７と嵌合凹部３８が形成されている。嵌合凸部３７は、幅方向Ｄ２に延びる突起であり、嵌合凹部３８は、幅方向Ｄ２に延びる溝である。嵌合凸部３７は、第１突片部３２及び第２突片部３３の長手方向Ｄ１の一方の端面から突出している。嵌合凹部３８は、第１突片部３２及び第２突片部３３の長手方向Ｄ１の他方の端面に開口している。複数の支持脚３（第１脚部材３ａと第２脚部材３ｂ）を長手方向Ｄ１に接続する場合、一方の支持脚３の嵌合凸部３７が他方の支持脚３の嵌合凹部３８に嵌合する。
【００３０】
栽培容器２及び支持脚３は、それぞれ発泡スチロールで形成される。そのため、栽培容器２及び支持脚３は、軽量であり、断熱性に優れる。
【００３１】
図７は、栽培ベンチ１の使用状態を示している。図８は、栽培ベンチ１を用いたハウス内のレイアウト例を示している。複数の栽培ベンチ１が接続されて使用される。栽培ベンチ１の通風路４には、空調機９からの冷風又は温風が供給される。空調機としては、ガスヒートポンプエアコン（ＧＨＰ）や電気モータヒートポンプエアコン、温風暖房を使用してもよい。また、空調機９と栽培ベンチ１の間にＣＯ２供給装置９１を設けてもよい。
【００３２】
栽培容器２は、通風路４の上方に配置されている。通風路４の長手方向Ｄ１の末端部は閉塞されており、通風路４内を陽圧にすることで、通風路４に供給された空気は、栽培容器２の周囲に設けられた通気管５を介して栽培容器２の開口に供給される。通風路４の末端部は、フィルム、板状部材等で閉塞される。通気管５の排出口５ａは、栽培容器２の開口の中央を向いており、排出口５ａから排出された空気は、栽培容器２の開口の幅方向Ｄ２の中央部に送られる。これにより、イチゴの苗のクラウンを局所的に冷却又は加温することができる。また、支持脚３は断熱性に優れるため、通風路４内での冷風又は温風の温度変化を低減できる。
【００３３】
栽培ベンチ１は、全体がマルチフィルム１０に覆われている。全体をマルチフィルム１０で覆うことで、紫外線による栽培ベンチ１の劣化を抑制できる。また、イチゴの苗の周囲をマルチ１０で覆うことで、イチゴの苗のクラウンを効率よく冷却又は加温することができる。また、栽培ベンチ１の上方に、苗を覆うように不図示のトンネルを設けてもよい。トンネルを設けることで、冷風や温風が逃げないため、局所的に冷却又は加温でき、少ないエネルギーで空調可能となる。
【００３４】
［他の実施形態］
前述の実施形態では、通気管５を第１通気溝２２と第２通気溝３４により構成しているが、第１通気溝２２と第２通気溝３４のどちらか一方のみで構成してもよい。
【００３５】
以上、本発明の実施形態について図面に基づいて説明したが、具体的な構成は、これらの実施形態に限定されるものでないと考えられるべきである。本発明の範囲は、上記した実施形態の説明だけではなく特許請求の範囲によって示され、さらに特許請求の範囲と均等の意味および範囲内でのすべての変更が含まれる。
【符号の説明】
【００３６】
１    栽培ベンチ
２    栽培容器
３    支持脚
４    通風路
５    通気管
５ａ    排出口
Ｄ１    長手方向
【図１】
2019154356.tif 000003
【図２】
2019154356.tif 000004
【図３】
2019154356.tif 000005
【図４】
2019154356.tif 000006
【図５】
2019154356.tif 000007
【図６】
2019154356.tif 000008
【図７】
2019154356.tif 000009
【図８】
2019154356.tif 000010